(57)【特許請求の範囲】
【請求項１】
沖合設置時に波に向けられることになる前面及び両端を開口した半筒状であって、下方に延びる固定杭を備えた消波体を設け、前記消波体の前面開口部は、若干斜め上向きに開口され、前記固定杭にはその上部から下端に抜ける水路が形成され、前記水路には、外部から高圧水が供給されてその先端から噴出可能であることを特徴とする砂浜育成装置。
【請求項２】
前記固定杭の中間部に、設置時における沈下を防止するためのフランジ状ストッパーを設けた請求項１に記載の砂浜育成装置。
【発明の詳細な説明】
【０００１】
【発明が属する技術分野】
本発明は、砂浜育成装置、より詳細には、押し寄せる波によって自然に造成され且つ侵蝕される砂浜を、人工的に保護して育成するための砂浜育成装置に関するものである。
【０００２】
【従来の技術】
砂浜は、絶え間なく押し寄せる波によって運ばれてくる砂や貝殻のかけら等によって、自然に造成される。しかし、一旦造成された砂浜も、波によって侵蝕されることが少なくない。
【０００３】
即ち、沖合において発生した波は、砂浜付近の深みから、急激に浅瀬に至る個所で巻波となって進行し、左右に広がった波の一方端から渦巻きを作って崩れて行き、その際に砂が巻き上げられ、波が引く際に砂が運び去られるために、砂浜が侵蝕されるのである。
【０００４】
従って、砂浜を育成するには、巻波を、砂浜からできるだけ離れた地点で崩して、砂浜を侵蝕させないようにすればよいことになるが、このような発想に基づいて砂浜を育成しようとする考えは提唱されていない。
【０００５】
【発明が解決しようとする課題】
本発明は、上記観点から砂浜を育成すべくなされたもので、単純な方法及び構造であって、装置自体のコスト及び設置コストが比較的低廉で、しかも確実に砂浜の育成及び維持を実現し得る砂浜育成装置を提供することを課題とする。
【０００６】
【課題を解決するための手段】
上記課題を解決するための本発明に係る砂浜育成装置は、沖合設置時に波に向けられることになる前面及び両端を開口した半筒状であって、下方に延びる固定杭を備えた消波体を設け、前記固定杭にはその上部から下端に抜ける水路が形成され、前記水路には、外部から高圧水が供給されてその先端から噴出可能であることを特徴とする。
【０００７】
前記消波体の前面開口部は、若干斜め上向きに開口される。
【０００８】
好ましくは、前記固定杭の中間部に、設置時における沈下を防止するためのフランジ状ストッパーを設ける。
【０００９】
【発明の実施の形態】
本発明の実施の形態を添付図面に依拠して説明する。図１は、本発明に係る砂浜育成装置の構成を示すもので、該装置は、消波体１に、通例２本の固定杭３を備えて成る。消波体１は、断面がＣ字状、半円形、半多角形等の両端及び前面を開口した半筒状で、その沖合設置時に波に向けられる前面開口部２は、若干斜め上向きにされることが好ましい。消波体１は、下方に延びる固定杭３を介して沖合に固定される。
【００１０】
消波体１の長さや径寸等は特に制限されないが、消波装置を構築する場所の干満時の水深差、消波装置を構築する水域の波浪の状態等、種々の条件を考慮して、適宜決定されるが、消波機能、取り扱い性、設置のし易さ、製造の容易性等の点からして、一般には、長さが３〜１５ｍ、直径が１〜３ｍの範囲が適当であるが、勿論このサイズに限定される訳ではない。
【００１１】
消波体１の材質は特に制限されず、設置したときに、安定した状態で且つ波浪等によって移動、破壊が生じないように設置できるものであればよく、例えば、コンクリート、セメント、鋼材等の金属、プラスチック又はこれらの材質を２つ以上組み合わせたもの等から形成することができる。とりわけ本発明に係る消波体１は、製造の容易性、設置したときの安定性、製造コスト等の点から、コンクリートで一体に成形することが望ましく、コンクリート製である場合は、更に鉄骨、繊維補強材等によって補強することが好ましい。
【００１２】
また、消波体１の製造方法も特に制限されず、消波体１を構成する材質の種類や消波体１の形状等に応じて適宜決めればよい。消波体１がコンクリート製である場合は、従来のコンクリート製消波体等と同様に、例えば、型枠を用いて成型することにより、簡単に且つ経済的に製造することができる。
【００１３】
消波体１に設置される固定杭３には、好ましくはその中途から長さ方向に伸びて先端に開口する水路４が貫設され、先端開口部が噴射ノズル５とされる。この固定杭３の水路４に外部からホース６が接続されることにより、外部からの高圧水を供給して噴射ノズル５から噴射可能にされる。
【００１４】
例えば固定杭３は、図２に示すような方法で、消波体１の後部に一体的に設けた固定杭取付部７に取り付けることができる。即ち、固定杭３の上部にくびれ部８ａを設けた挿入部８を形成し、固定杭取付部７に、挿入部８を挿入するための挿入孔９を設ける。そして、挿入孔９の中間部に抉り部１０を設けると共に、抉り部１０から外側面に抜ける注入路１１を形成する。
【００１５】
固定杭３の取り付けに当っては、その挿入部８を挿入孔９内に挿入した後、注入路１１から樹脂モルタル等の接合剤１２を注入する。接合剤１２は、抉り部１０とくびれ部８ａとで形成される断面ダイヤ形の環溝を充填し、固化する。かくして、固定杭３が固定杭取付部７から抜けることなく、確固と固定される。
【００１６】
固定杭３は、本装置の、設置高さ調整を含めた海底への設置作業を容易且つ迅速に行なわせるためのもので、設置作業に際しては、消波体１の外側面に吊下手段１３を設け、これにクレーンフック１４を掛けて吊るし、海底に降ろしながら水路４内に高圧水を供給する。
【００１７】
供給された高圧水は、水路先端の噴射ノズル５から海底に向けて噴射され、その部分の砂を吹き上げる。これにより、固定杭３の埋設孔が形成されるので、そのまま消波体１を降ろしていけば、固定杭３はその埋設孔内に容易且つスムーズに進入していく。固定杭３を所望部位まで埋入させたところで、高圧水の供給を止めると共にクレーンフック１４を外すが、その後直ちに固定杭３の回りの砂が締まるため、固定杭３は確固と固定される。
【００１８】
なお、固定杭３の中間部に、水平方向に広がるストッパー１５を設けておけば、設置時において回りの砂が締まる前に固定杭３が沈下することが、確実に防止される。
【００１９】
また、消波体１の設置場所を移動させる場合や、消波体１の海底からの高さ調整をするような場合にも、同様に固定杭３の水路４に高圧水を供給すれば、周囲の砂が吹き崩されるので、容易に引き上げ、また、引き抜くことが可能となる。
【００２０】
図３は、本発明に係る消波装置の設置例を示すもので、そこでは、多数の消波装置が適宜間隔を置いて並置されている。その設置位置は、巻波が崩れる通常位置、より詳細には、干潮時において巻波が崩れる位置よりも少し沖合とする。
【００２１】
その場合、各消波体１の開口部２は、波の進行方向に向かって斜め上向きに開放されているので、到来する波が消波体１に衝突すると、その一部は開口部２から流入して、消波体１の内壁面に沿って上方に翻転する（図２（Ａ）における湾曲矢印参照）。この翻転して逆方向に向かう水流が、次に到来してくる巻波と衝突する結果、巻波は通常よりも早く崩され、以て、波による砂浜の侵蝕が極力抑えられ、砂浜が育成維持される。
【００２２】
【発明の効果】
本発明は上述した通りであって、本発明によれば、単純な方法及び構造であって、装置自体のコスト及び設置コストが比較的低廉で、しかも確実に砂浜の育成及び維持を実現でき、人工渚の造成も容易となる効果がある。
【図面の簡単な説明】
【図１】  本発明に係る砂浜育成装置の一実施例の斜視図である。
【図２】  本発明に係る砂浜育成装置における固定杭の取付方法を示す図である。
【図３】  本発明に係る砂浜育成装置の使用状態図である。
【符号の説明】
１    消波体
２    開口部
３    固定杭
４    水路
５    噴射ノズル
６    ホース
７    固定杭取付部
８    挿入部
８ａ  くびれ部
９    挿入孔
１０  抉り部
１１  注入路
１２  接合剤
１３  吊下手段
１４  クレーンフック
１５  ストッパー
【図１】
0003781685.tif 000002
【図２】
0003781685.tif 000003
【図３】
0003781685.tif 000004